(57)【特許請求の範囲】
【請求項１】
予め仕分け先が割り付けられ、前記割り付けられた仕分け先を特定する符号が付された集品容器に対してそれぞれ、前記集品容器に割り付けられた仕分け先からの物品の注文情報に基づいて物品の集品が実行されるピッキングエリアを備えたピッキング設備であって、
前記ピッキングエリアの下流に、ピッキングエリアから搬送されてきた前記各集品容器に対して集品された物品の数量の検品を実行する検品エリアを配置し、
前記検品エリアには、搬入されてきた前記集品容器に対応して、前記仕分け先を特定する符号および前記仕分け先からの物品の注文情報に応じて集品される物品の数量を表示するとともに、使用可能、使用不能に切替え可能に構成された検品表示手段を前記ピッキングエリアから、搬送手段によって搬送されてくる集品容器の搬送方向に、順に、複数並べて備え、
前記各検品表示手段の表示、および前記検品表示手段の使用可能、使用不能を制御する制御手段を設け、
前記制御手段が、前記仕分け先を特定する符号を、前記検品エリアに搬入されてきた集品容器の順に記憶し、記憶した順で、前記集品容器に割り付けられた仕分け先を特定する符号および前記集品される物品の数量を、前記使用可能の検品表示手段に表示し、更に、使用可能になった検品表示手段が複数の時は、前記複数の検品表示手段で交互に順番に表示するように制御されることによって、前記検品エリアにおける検品可能な集品容器の数が変更されること
を特徴とするピッキング設備。
【請求項２】
前記検品表示手段毎に、
使用可能、使用不能の切替えを入力する切替入力手段と、
検品の完了を入力する完了入力手段と
が設けられ、
前記制御手段は、前記切替入力手段からの切替信号に基づいて、各検品表示手段の使用可能、使用不能を制御し、前記完了入力手段の完了信号を入力すると、前記検品表示手段の表示を消去すること
を特徴とする請求項１に記載のピッキング設備。
【請求項３】
前記検品エリアに、
前記集品容器を連続搬送する搬送手段と、
前記搬送手段による前記各集品容器の搬送の停止と再開を入力する停止再開手段と
を備え、
前記制御手段は、前記停止再開手段から停止信号を入力すると、前記搬送手段による前記各集品容器の搬送を停止し、再開信号を入力すると、前記搬送手段による前記各集品容器の搬送を再開すること
を特徴とする請求項１〜請求項２のいずれか１項に記載のピッキング設備。
【請求項４】
前記検品表示手段毎に、前記集品容器に集品された物品の数量が、前記検品表示手段に表示される物品の数量と異なることを入力する過不足入力手段を備え、
前記制御手段は、前記過不足入力手段からの過不足信号を入力すると、過不足の検品不良の情報を検品対象の集品容器に割り付けられた仕分け先を特定する符号とともに記憶し、前記検品表示手段の表示を消去し、この検品表示手段に、次の搬入される集品容器に割り付けられた仕分け先を特定する符号および前記集品される物品の数量を表示すること
を特徴とする請求項１〜請求項３のいずれか１項に記載のピッキング設備。
【発明の詳細な説明】
【技術分野】
【０００１】
本発明は、ピッキング設備、特に検品エリアを備えたピッキング設備に関するものである。
【背景技術】
【０００２】
従来の検品エリアを備えたピッキング設備の一例が、特許文献１に開示されている。
この特許文献１に開示されているピッキング設備は、集品される物品が保管されるストレージラインと、物品を注文した店舗（仕分け先の一例）毎に、物品を集品する集品容器を搬送する集品ラインから構成され、集品ラインの上流に、集品容器投入エリアが設けられ、集品ラインの下流に、検品エリアが設けられている。集品容器投入エリアでは、空の集品容器に、集品容器を特定するコード（集品容器を特定する情報の一例）が予め記憶された容器用タグを取り付ける作業が行われ、一定間隔で集品ラインへ供給される。
【０００３】
前記ストレージラインは、流動棚から形成されたピッキング棚から構成され、複数段のラックを有し、各ラックにはそれぞれ、物品の収納容器が収納される複数の物品収納部が形成されている。また複数の物品収納部毎に、特定の作業者がピッキング作業を担当するピッキングゾーン(ピッキング作業領域の一例)が複数設けられている。各ピッキングゾーンには、容器用タグへデータを書き込むタグリーダ／ライタが備えられ、各ピッキングゾーンでは、集品ラインにより搬送されてきた集品容器に対して、店舗の注文に応じて、物品収納部より物品の集品が行われ、ゾーン内におけるこの集品容器への集品が終了すると、集品容器の容器用タグに、前記タグリーダ／ライタにより集品した物品を収納していた物品収納部のロケーションが書き込まれ、蓄積される。
【０００４】
前記検品エリアには、搬送されてきた、集品が終了した集品容器（集品済み集品容器）の重量を計測する重量計と、この重量計に載せられた集品容器の容器用タグから、書き込まれた集品容器を特定するコードおよび蓄積された物品収納部のロケーションを読み出すタグリーダ／ライタが設けられている。また重量計の近傍に、検品結果を表示する緑ランプと赤ランプからなる検品表示器が設けられている。この検品表示器の緑ランプの点灯により検品の結果が“良”であることが表示され、赤ランプの点灯により検品の結果が“不良”であることが表示される。
【０００５】
検品エリアでは、重量計により集品済みの集品容器の重量が測定され、また容器用タグに蓄積された集品容器のコードと物品収納部のロケーションがタグリーダ／ライタにより読み取られ、読み取られた集品容器のコードにより店舗が特定され、予め登録された物品収納部のロケーションと物品の品目との関係により物品収納部のロケーションに対応する物品の品目が特定され、これら特定された店舗の注文データと物品の品目により、品目にミスが有るかどうかが確認され、また特定された店舗の注文データにより予め求められた集品済みの集品容器の推定重量と、測定された重量により、数量にミスがあるかどうかが確認され、いずれかにミスがあると、検品表示器の赤ランプが点灯されて“不良”が示され、いずれにもミスが無いとき検品表示器の緑ランプが点灯されて“良”が示される。
【０００６】
このように、集品が終了した集品容器の容器用タグに蓄積された物品収納部のロケーションにより、投入された物品の品目（種類）を特定でき、さらに集品が終了した集品容器の計測された重量により、数量にミスがあるかどうかが確認され、集品された物品の品目と個数により検品を完全に自動化することができる。また重量計の設置は１台で済み、集品容器毎に重量計を設けた場合と比較して設備価格を安価にできる。
【先行技術文献】
【特許文献】
【０００７】
【特許文献１】特開２００８−１６８９５５号公報
【発明の概要】
【発明が解決しようとする課題】
【０００８】
しかし、特許文献１に開示されているピッキング設備では、各容器に容器用タグを取り付け、各ピッキングゾーンにこの容器用タグへデータを書き込むタグリーダ／ライタを備えることから設備にかかるコストが高くなり、さらに検品エリアに設置される重量計は１台であり、この重量計に集品容器を載せ、検品を行うことから、集品容器を１台毎にしか検品を行うことができず、検品が必要な集品容器の数に応じて柔軟な運用を行うことはできなかった。
そこで、本発明は、設備のコストを抑えることができるとともに、検品可能な集品容器の数を自在に変更できるピッキング設備を提供することを目的とする。
【課題を解決するための手段】
【０００９】
前述した目的を達成するために、本発明のうち請求項１記載の発明は、予め仕分け先が割り付けられ、前記割り付けられた仕分け先を特定する符号が付された集品容器に対してそれぞれ、前記集品容器に割り付けられた仕分け先からの物品の注文情報に基づいて物品の集品が実行されるピッキングエリアを備えたピッキング設備であって、前記ピッキングエリアの下流に、ピッキングエリアから搬送されてきた前記各集品容器に対して集品された物品の数量の検品を実行する検品エリアを配置し、前記検品エリアには、搬入されてきた前記集品容器に対応して、前記仕分け先を特定する符号および前記仕分け先からの物品の注文情報に応じて集品される物品の数量を表示するとともに、使用可能、使用不能に切替え可能に構成された検品表示手段を前記ピッキングエリアから、搬送手段によって搬送されてくる集品容器の搬送方向に、順に、複数並べて備え、前記各検品表示手段の表示、および前記検品表示手段の使用可能、使用不能を制御する制御手段を設け、前記制御手段が、前記仕分け先を特定する符号を、前記検品エリアに搬入されてきた集品容器の順に記憶し、記憶した順で、前記集品容器に割り付けられた仕分け先を特定する符号および前記集品される物品の数量を、前記使用可能の検品表示手段に表示し、更に、使用可能になった検品表示手段が複数の時は、前記複数の検品表示手段で交互に順番に表示するように制御されることによって、前記検品エリアにおける検品可能な集品容器の数が変更されることを特徴とするものである。
【００１０】
上記構成によれば、検品エリアに搬入されてきた集品容器に対して、検品エリアに備えられる検品表示手段により、前記集品容器に割り付けられた仕分け先を特定する符号および仕分け先からの物品の注文情報に応じて集品される物品の数量が表示され、表示された符号により特定される集品容器に対して、表示された数量が一致するかどうかが検品される。また各検品表示手段の使用可能、使用不能が制御されることによって、検品エリアにおける検品可能な集品容器の数が変更される。
【００１２】
上記構成によれば、集品容器に割り付けられた仕分け先を特定する符号および集品される物品の数量が、検品エリアに搬入される集品容器順に、使用可能な検品表示手段に表示される。これにより、作業者は誤りなく検品対象の集品容器を特定することが可能となり、検品作業を効率よく行うことが可能とされる。
【００１３】
また請求項２に記載の発明は、請求項１に記載の発明であって、前記検品表示手段毎に、使用可能、使用不能の切替えを入力する切替入力手段と、検品の完了を入力する完了入力手段とが設けられ、前記制御手段は、前記切替入力手段からの切替信号に基づいて、各検品表示手段の使用可能、使用不能を制御し、前記完了入力手段の完了信号を入力すると、前記検品表示手段の表示を消去することを特徴とするものである。
【００１４】
上記構成によれば、切替入力手段が入力されることにより、検品表示手段の使用可能、使用不能が制御され、また完了入力手段が入力されることにより、検品表示手段の表示が消去される。
【００１５】
また請求項３に記載の発明は、請求項１〜請求項２のいずれか１項に記載の発明であって、前記検品エリアに、前記集品容器を連続搬送する搬送手段と、前記搬送手段による前記各集品容器の搬送の停止と再開を入力する停止再開手段とを備え、前記制御手段は、前記停止再開手段から停止信号を入力すると、前記搬送手段による前記各集品容器の搬送を停止し、再開信号を入力すると、前記搬送手段による前記各集品容器の搬送を再開することを特徴とするものである。
【００１６】
上記構成によれば、各集品容器は、搬送手段により連続搬送されることにより、集品容器を停止することなく、検品を実行することが可能とされる。
また検品エリアに備えられる停止再開手段から停止信号または再開信号が入力されることにより、搬送手段による前記各集品容器の搬送が停止または再開される。これにより、緊急時に、停止再開手段の操作により、搬送手段による各集品容器の搬送を停止することができ、検品が未完了の集品容器が検品エリアの下流へ搬送されることが防止可能とされる。
【００１７】
また請求項４に記載の発明は、請求項１〜請求項３のいずれか１項に記載の発明であって、前記検品表示手段毎に、前記集品容器に集品された物品の数量が、前記検品表示手段に表示される物品の数量と異なることを入力する過不足入力手段を備え、前記制御手段は、前記過不足入力手段からの過不足信号を入力すると、過不足の検品不良の情報を検品対象の集品容器に割り付けられた仕分け先を特定する符号とともに記憶し、前記検品表示手段の表示を消去し、この検品表示手段に、次の搬入される集品容器に割り付けられた仕分け先を特定する符号および前記集品される物品の数量を表示することを特徴とするものである。
【００１８】
上記構成によれば、集品容器に集品された物品の数量が、検品表示手段に表示される物品の数量と異なることが過不足入力手段より入力されることにより、過不足の検品不良の情報が検品対象の集品容器に割り付けられた仕分け先を特定する符号とともに記憶される。また検品表示手段の表示が消去され、続いて、この検品表示手段に、次の搬入される集品容器に割り付けられた仕分け先を特定する符号、および集品される物品の数量が表示される。
【発明の効果】
【００１９】
本発明のピッキング設備は、検品エリアに搬送されてきた集品容器に対応して、集品容器に割り付けられた、仕分け先を特定する符号および仕分け先からの物品の注文情報に応じて集品される物品の数量を表示する各検品表示手段の使用可能、使用不能が制御されることにより、検品エリアにおける検品可能な集品容器の数を自在に変更することができ、所定時間で検品を行うことが求められる集品容器の数、または検品の作業に従事できる作業者の人数に応じて柔軟な運用を行うことができる、という効果を有している。
【図面の簡単な説明】
【００２０】
【図１】本発明の実施の形態におけるピッキング設備の検品エリアの要部平面図である。
【図２】同ピッキング設備の検品エリアの搬送方向視での側面図である。
【図３】同ピッキング設備の全体構成図である。
【図４】同ピッキング設備の検品端末の画面表示を示す図である。
【図５】同ピッキング設備の検品エリアの制御構成図である。
【図６】同ピッキング設備の統括コントローラ内のメモリに格納されるピッキングデータを示す図である。
【図７】同ピッキング設備の検品コントローラ内に各メモリに格納されるデータを示す図であり、（ａ）は総数メモリのデータを示す図、（ｂ）は検品結果メモリのデータを示す図、（ｃ）は出力メモリのデータを示す図、（ｄ）はモードメモリのデータを示す図である。
【図８】同ピッキング設備の各検品表示器の動作を説明する図である。
【図９】本発明の他の実施の形態におけるピッキング設備の検品エリアの要部平面図である。
【発明を実施するための形態】
【００２１】
以下、本発明の実施の形態を図面に基づいて説明する。
図３は本発明の実施の形態におけるピッキング設備の全体構成図である。
このピッキング設備Ａは、個別の予め登録されたユーザー（仕分け先の一例）から注文を受けた物品１１を、ユーザーに割り付けられた集品容器１０（コンテナ等）に集めて、物品１１の数量の検品を行った後に、出荷・配送するピッキング設備であり、図３に示すように、集品容器１０に対して物品１１の集品を行うピッキングエリアＢと、集品済みの集品容器１０の物品１１の検品を行う検品エリアＣと、検品の結果、実際に集品された物品１１の数量が集品予定の物品１１の数量（総数）と異なる（「異常」）と判定された集品容器１０に対して、物品１１の補充を行う等して調整する調整エリアＤを備えている。
以下、ピッキングエリアＢと、検品エリアＣと、調整エリアＤの構成について、それぞれ説明する。
【００２２】
ピッキングエリアＢでは、搬送ライン１８により搬送される集品容器１０に対して、物品１１の集品が行われる。
搬送ライン１８に沿って、ピッキングエリアＢの上流には、予め集品容器１０に割り付けられたラベル番号１３およびラベル番号１３を表すバーコード１４（仕分け先を特定する符号の一例）が表示されたラベル１２（図１参照）を集品容器１０に自動で貼り付けるオートラベラー１５が設けられており、このオートラベラー１５は、オートラベラー１５の上流において搬送ライン１８へ投入される空の集品容器１０へ、ラベル１２の自動貼り付けを搬送順に順次行うように構成されている。
【００２３】
またピッキングエリアＢには、流動棚から形成されたピッキング棚が配置され、このピッキング棚は、前方に傾斜している複数段のラックを有し、各ラックにはそれぞれ、物品１１が収納される複数の物品収納部が形成されており、ピッキングエリアＢでは、作業者Ｈにより、ユーザーから注文された物品１１を各物品収納部から取り出し、搬送ライン１８により搬送されている集品容器１０に対して投入するピッキング作業が行われる。そして、ピッキングエリアＢにおいて、物品１１の集品が完了した集品容器１０は、搬送ライン１８により、検品エリアＣへ搬送（搬出）される。
【００２４】
検品エリアＣには、集品済みの集品容器１０がピッキングエリアＢより搬送（搬入）され、検品エリアＣでは、集品済みの集品容器１０の物品１１の検品が行われ、検品の結果、「正常」と判定された集品容器１０は、出荷場へ搬送される。
図１に検品エリアＣの要部平面図を、図２に検品エリアＣの搬送方向視での側面図を示す。
検品エリアＣには、集品容器１０を連続搬送するローラコンベヤ１７（搬送手段の一例）が設けられ、ローラコンベヤ１７に沿って上流側にバーコードリーダ１６が設けられている。このバーコードリーダ１６は、検品エリアＣ内の上流において、集品容器１０に貼り付けられたラベル１２に表示されたバーコード１４を、集品容器１０が検品エリアＣへ搬送（搬入）される順に読み取り、集品容器１０毎に割り付けられたラベル番号１３を検品コントローラ４２（制御手段の一例）（図５参照）へ出力するように構成されている。
前記ローラコンベヤ１７は、上流端がピッキングエリアＢより各集品容器１０を搬送する搬送ライン１８に接続され、下流端が出荷場へ各集品容器１０を搬送する出荷ライン１９に接続されている。
また検品エリアＣには、ローラコンベヤ１７に沿って、集品容器１０の搬送方向に順に下流側から、集品容器１０毎に、集品容器１０に貼り付けられたラベル１２に表示されたラベル番号１３（集品容器を特定する符号）および集品予定の物品１１の総数（ユーザーからの注文に応じて集品される物品の数量）を表示する第１検品表示器２１（検品表示手段の一例）、第２検品表示器２５（検品表示手段の一例）、および第３検品表示器２９（検品表示手段の一例）が設けられている。
【００２５】
前記第１検品表示器２１は、ラベル番号１３と集品予定の物品１１の総数を表示する検品表示部２２（表示手段）と、検品結果が「正常」と判定されたときに操作される赤色のランプ付きの完了押釦スイッチ２３（完了入力手段の一例）と、操作入力により第１検品表示器２１の使用の可否を切替える切替え釦スイッチ２４（切替入力手段の一例）を備えている。
また前記第２検品表示器２５は、ラベル番号１３と集品予定の物品１１の総数を表示する検品表示部２６（表示手段）と、検品結果が「正常」と判定されたときに操作される赤色のランプ付きの完了押釦スイッチ２７（完了入力手段の一例）と、操作入力により第２検品表示器２５の使用の可否を切替える切替え釦スイッチ２８（切替入力手段の一例）を備えている。
また前記第３検品表示器２９は、ラベル番号１３と集品予定の物品１１の総数を表示する検品表示部３０（表示手段）と、検品結果が「正常」と判定されたときに操作される赤色のランプ付きの完了押釦スイッチ３１（完了入力手段の一例）と、操作入力により第３検品表示器２９の使用の可否を切替える切替え釦スイッチ３２（切替入力手段の一例）を備えている。
検品結果が「正常」と判定されたときは、検品表示器２１，２５，２９の完了押釦スイッチ２３，２７，３１が操作入力される。
【００２６】
また検品エリアＣ内には、操作入力によりローラコンベヤ１７を停止、駆動させる停止・再開釦スイッチ３４（停止再開手段の一例）と、実際に集品容器１０に集品された物品１１の数量が集品予定の数量（総数）と異なること、すなわち検品結果が「異常」と判定されたことを入力する検品端末３３（過不足入力手段の一例）と、検品結果が「異常」と判定された集品容器１０をローラコンベヤ１７より降ろして、積載する台車（例えば、かご車）３６が備えられている。前記検品端末３３は、コンピュータと、このコンピュータに接続されたタッチパネル付き表示装置（たとえば液晶画面装置など）から構成されている。
【００２７】
検品端末３３の表示装置の画面には、図４（ａ）に示すように、第１検品表示器２１（検品表示器の番号“１”）の検品表示部２２に表示される「ラベル番号−総数」および「異常」押釦の画像と、第２検品表示器２５（検品表示器の番号“２”）の検品表示部２６に表示される「ラベル番号−総数」および「異常」押釦の画像と、第３検品表示器２９（検品表示器の番号“３”）の検品表示部３０に表示される「ラベル番号−総数」および「異常」押釦の画像とが表示される。また検品端末３３のタッチパネルは、検品表示器２１，２５，２９の「異常」押釦の画像部がタッチ（操作）されると、操作された検品表示器２１，２５，２９の「異常」押釦の画像部のＸ−Ｙ座標データ（過不足信号の一例）を検品コントローラ４２へ出力する。
検品結果が「異常」と判定されたときは、検品端末３３の表示装置に表示される検品表示器２１，２５，２９に対応する「異常」押釦の画像に対応するタッチパネルの領域がタッチされる。
この検品エリアＣにおいて、検品結果が「正常」と判定された集品容器１０は、出荷場へ搬送され、検品結果が「異常」と判定された集品容器１０は、作業者Ｈによりかご車３６へ移載される。
【００２８】
調整エリアＤは、検品エリアＣにおいて、「異常」と判定された集品容器１０に対して、物品１１の調整を行うエリアである。調整エリアＤには、図３に示すように、「異常」と判定された集品容器１０のデータを表示する調整端末３５が備えられる。前記調整端末３５は、コンピュータと、このコンピュータに接続された表示装置（たとえば液晶画面装置など）から構成され、調整端末３５に図４（ｂ）に示すように、「異常」と判定された集品容器１０の「ラベル番号−複数の（物品の品目−数量）」からなるデータが表示される。調整エリアＤの作業者Ｈは、調整端末３５の表示に対応して、「異常」と判定された集品容器１０が積載されたかご車３６を検品エリアＣより調整エリアＤへ移動し、物品１１の調整を行う。
調整エリアＤにおいて、物品１１の調整が行われた集品容器１０は、出荷ライン１９により出荷場へと搬送される。
【００２９】
上記ピッキング設備の検品エリアＣの制御構成図を図５に示す。
図５に示す統括コントローラ４１は、ピッキング設備Ａ全体の制御を行うコントローラであり、以下の機能を有している。
（１）．ユーザー毎の「ユーザー−複数の（物品の品目−数量）」からなる注文データを入力すると、出荷順にユーザーにラベル番号１３を割り付け、すなわちユーザーに割り付けられる集品容器１０にラベル番号１３を割り付け、「ラベル番号−複数の（物品の品目−数量）」からなるピッキングデータ｛図６参照｝を形成し、統括コントローラ４１内のメモリ（図示せず）に記憶する。
（２）．前記ピッキングデータを検品コントローラ４２の総数データ形成部５５へ出力する。
（３）．検品コントローラ４２の調整データ形成部６２よりラベル番号１３を入力すると、ピッキングデータを検索して、調整データ形成部６２へラベル番号１３の「ラベル番号−複数の（物品の品目−数量）」からなるデータを出力する。
（４）．検品コントローラ４２のコンベヤ制御部６３へ起動信号または終了信号を出力する。
統括コントローラ４１は、検品コントローラ４２の総数データ形成部５５、調整データ形成部６２、およびコンベヤ制御部６３に接続されている。
【００３０】
検品コントローラ４２は、検品エリアＣの制御を行うコントローラであり、次の機能を有している。
（１）．各集品容器１０毎に、集品する物品１１の数量を予め求め、記憶する。すなわち、集品容器１０に割り付けられたラベル番号１３毎に、集品予定の数量（総数）を記憶する｛図７（ａ）参照｝。
（２）．検品表示器２５，２９が使用可能であるか使用不能であるかを規定し、使用モードを決定する｛図７（ｄ）参照｝。なお、第１検品表示器２１は、常に使用可能であるものとし、第２検品表示器２５および第３検品表示器２９は、使用可能と使用不能を切替えることができるものとしている。
（３）．使用可能な検品表示器２１，２５，２９の表示を行う｛図７（ｃ）参照｝。
（４）．搬送されてきた集品容器１０の順、すなわちバーコードリーダ１６により入力された集品容器１０に割り付けられたラベル番号１３を順に記憶し、表示する順を設定し、表示順に、機能（１）で求めた、ラベル番号１３と集品予定の数量（総数）を記憶する｛図７（ｂ）参照｝。
（５）．各集品容器１０の検品結果を記憶する｛図７（ｂ）参照｝。
（６）．使用可能な検品表示器２１，２５，２９の表示を検品終了にて切り換える。
（７）．検品不良の集品容器１０のデータを、調整端末３５へ出力する。
【００３１】
上記機能を実現するために、図５に示すように、検品コントローラ４２は、総数メモリ５１と、検品結果メモリ５２と、モードメモリ５３と、出力メモリ５４と、総数データ形成部５５と、検品データ形成部５６と、不一致信号入力部５７と、完了制御部５８と、表示器割当て制御部５９と、モード切替え制御部６０と、出力制御部６１と、調整データ形成部６２と、コンベヤ制御部６３から構成されている。
【００３２】
機能（１）は、総数データ形成部５５により実現されている。すなわち、総数データ形成部５５は、統括コントローラ４１よりピッキングデータを入力すると、ピッキングデータに基づいて、ラベル番号１３毎に、集品する物品１１の総数を求め、「ラベル番号−総数」からなるデータを形成し、総数メモリ５１へ出力し、記憶させる｛図７（ａ）参照｝。
【００３３】
また前記機能（２）は、モード切替え制御部６０により実現されている。すなわち、モード切替え制御部６０は、第２検品表示器２５の切替え釦スイッチ２８または第３検品表示器２９の切替え釦スイッチ３２より切替え信号が入力されると、入力される毎に、第２検品表示器２５と第３検品表示器２９を使用可能、使用不能に切り替え、第２検品表示器２５と第３検品表示器２９がそれぞれ、使用可能であるか使用不能であるかによって、モード“０”、モード“１”、モード“２”、モード“３”を設定し、モードメモリ５３に記憶する｛図７（ｄ）参照｝。
第１検品表示器２１は常に使用可能であり、モード“０”は、第２検品表示器２５および第３検品表示器２９が共に使用不能の状態、モード“１”は、第２検品表示器２５が使用可能、第３検品表示器２９が使用不能の状態、モード“２”は、第２検品表示器２５が使用不能、第３検品表示器２９が使用可能の状態、モード“３”は、第２検品表示器２５および第３検品表示器２９が共に使用可能の状態である。
【００３４】
前記機能（３）は、出力制御部６１により実現されている。すなわち、出力制御部６１は、出力メモリ５４｛図７（ｃ）参照｝に記憶された「表示器番号−ラベル番号−総数」からなるデータを読み込み、対応する検品表示器へ、検品表示部に表示する「ラベル番号−総数」からなるデータと完了押釦スイッチのランプの点灯信号を出力し、使用可能な検品表示器２１，２５，２９の表示を行う。また対応する検品表示器の「ラベル番号−総数」からなるデータを検品端末３３のコンピュータへ出力し、表示させる｛図４（ａ）参照｝。
また出力制御部６１は、後述する「表示器番号−消灯指令」を入力すると、対応する検品表示器へ、検品表示部の表示の消去と完了押釦スイッチのランプの消灯信号を出力し、対応する検品表示器の「ラベル番号−総数」からなるデータの消去信号を検品端末３３のコンピュータへ出力する。
【００３５】
機能（４）は、検品データ形成部５６により実行されている。すなわち、検品データ形成部５６は、バーコードリーダ１６より「ラベル番号」のデータを入力すると、この「ラベル番号」により総数メモリ５１を検索し、「ラベル番号−総数」からなるデータを読み込み、バーコードリーダ１６よる「ラベル番号」の入力順を表示順として、「表示順−ラベル番号−総数」からなるデータを形成し、検品結果メモリ５２に出力して、記憶させる｛図７（ｂ）参照｝。
【００３６】
機能（５）は、不一致信号入力部５７と完了制御部５８により実行されている。上述したように、検品結果が「正常」と判定されたときは、検品表示器２１，２５，２９の完了押釦スイッチ２３，２７，３１が操作入力され、また検品結果が「異常」と判定されたときは、検品端末３３の表示装置に表示される検品表示器２１，２５，２９に対応する「異常」押釦の画像に対応するタッチパネルの領域がタッチされる。
タッチパネルの操作入力は、不一致信号入力部５７により判定される。すなわち、不一致信号入力部５７は、検品端末３３より前記Ｘ−Ｙ座標データを入力すると、予め登録されている、各検品表示器２１，２５，２９の「異常」押釦の画像が表示される領域と、入力した座標データが合致するかどうかを確認し、確認した領域の検品表示器２１または２５または２９から不一致信号が入力されたと判断する。
完了制御部５８は、使用可能な検品表示器２１，２５，２９からの完了押釦スイッチ２３，２７，３１の操作入力により、検品結果を「正常」と判定し、不一致信号入力部５７から不一致信号の入力により、検品結果を「異常」と判定し、検品結果を、検品結果メモリ５２に出力して、記憶させる｛図７（ｂ）参照｝。
【００３７】
機能（６）は、使用可能な検品表示器２１，２５，２９全ての、完了押釦スイッチ２３，２７，３１の操作入力または不一致信号の入力が揃うと、実行され、使用可能な検品表示器２１，２５，２９の表示の切り換えが行われる。
すなわち、完了制御部５８は、入力が揃うと、出力制御部６１へ、前記「表示器番号−消灯指令」を出力して表示を消去させ、また表示器割り当て制御部５９により、出力メモリ５４の内容を更新させる。表示器割り当て制御部５９は、モードメモリ５３より検品表示器の使用状態のデータを読み込み、検品結果メモリ５２より検品結果が“−”（検品未完了）であるラベル番号１３について、「ラベル番号−総数」からなるデータを、使用可能な検品表示器の数だけ読み込みを行い、「表示器番号−ラベル番号−総数」からなるデータを出力メモリ５４へ出力し、更新する。
出力メモリ５４の更新によって、出力制御部６１により、使用可能な検品表示器２１，２５，２９の検品終了にて表示が切り換えられる。
【００３８】
機能（７）は、調整データ形成部６２により実現される。すなわち、調整データ形成部６２は、検品結果が“１”（異常）のうち最も表示順が遅いものについて、「ラベル番号」を検品結果メモリ５２より入力し、統括コントローラ４１内のメモリに記憶されたピッキングデータをこの「ラベル番号」により検索し、「ラベル番号−複数の（物品の品目−数量）」からなるデータを形成し、この「ラベル番号−複数の（物品の品目−数量）」からなるデータを調整端末３５のコンピュータへ出力し、図４（ｂ）に示すように、調整端末３５に、「ラベル番号−複数の（物品の品目−数量）」を表示させる。
【００３９】
上記検品コントローラ４２の機能による検品作業について、図８を参照しながら、説明する。
検品エリアＣに集品容器１０が搬送されてくると、バーコードリーダ１６により読み取られたラベル番号１３の順に検品が実行される。また第２検品表示器２５の切替え釦スイッチ２８または第３検品表示器２９の切替え釦スイッチ３２の入力により、上記モード０〜３が設定され、使用可能な検品表示器２１，２５，２９が設定される。
モード“０”では、第１検品表示器２１のみが使用されるので、検品順に、図８（ａ）に示すように、表示順“１”の集品容器１０から、検品表示部２２に「ラベル番号−総数」が表示され、完了押釦スイッチ２３のランプが点灯される。作業者Ｈは、第１検品表示器２１の検品表示部２２に表示されるラベル番号１３と、集品容器１０に貼り付けられたラベル１２に表示されたラベル番号１３が一致することを確認し、集品容器１０内の物品１１の検品を行う。
作業者Ｈは、検品結果が「正常」と判定すると、第１検品表示器２１の完了押釦スイッチ２３を操作する。これにより、集品容器１０の検品は正常なものと判断されて記憶され、次の表示順“２”の集品容器１０の表示が実行される。
また作業者Ｈは、検品結果が「異常」と判定すると、検品端末３３の表示装置に表示される第１検品表示器２１の「異常」押釦の画像部の領域をタッチし、集品容器１０をかご車３６へ移載する。検品端末３３のタッチ入力により、集品容器１０の検品は不良なものと判断されて記憶され、調整端末３５に、「ラベル番号−複数の（物品の品目−数量）」からなるデータが表示され、また次の表示順“２”の集品容器１０の表示が実行される。
作業者Ｈは、次の表示順“２”の表示に基づく、検品を実行する。このような動作を繰り返すことにより、モード“０”における検品作業が実行される。
【００４０】
またモード“１”では、第１検品表示器２１と第２検品表示器２５が使用されるので、検品順に、図８（ｂ）に示すように、表示順“１”，“２”の集品容器１０から、検品表示部２２，２６に「ラベル番号−総数」が表示され、完了押釦スイッチ２３，２７のランプが点灯される。
第１検品表示器２１と第２検品表示器２５によりそれぞれ検品を行う作業者Ｈは、検品表示部２２，２６に表示されるラベル番号１３と、連続して搬送されている２個の集品容器１０に貼り付けられたラベル１２に表示されたラベル番号１３が一致することを確認し、集品容器１０内の物品１１の検品を行う。
作業者Ｈは、検品結果が「正常」と判定すると、完了押釦スイッチ２３，２７を操作する。これにより、表示順“１”，“２”の集品容器１０の検品は正常なものと判断されて記憶され、次の表示順“３”，“４”の集品容器１０の表示が実行される。
また作業者Ｈは、検品結果が「異常」と判定すると、検品端末３３の表示装置に表示される検品表示器２１，２５の「異常」押釦の画像部の領域をタッチし、集品容器１０をかご車３６へ移載する。検品端末３３のタッチ入力により、集品容器１０の検品は不良なものと判断されて記憶され、調整端末３５に、「ラベル番号−複数の（物品の品目−数量）」からなるデータが表示され、また次の表示順“３”，“４”の集品容器１０の表示が実行される。
作業者Ｈは、次の表示順“３”，“４”の表示に基づく、検品を実行する。このような動作を繰り返すことにより、モード“１”における検品作業が実行される。
【００４１】
またモード“２”では、第１検品表示器２１と第３検品表示器２９が使用されるので、検品順に、図８（ｃ）に示すように、表示順“１”，“２”の集品容器１０から、検品表示部２２，３０に「ラベル番号−総数」が表示され、完了押釦スイッチ２３，３１のランプが点灯される。
モード“２”の動作は、モード“１”の動作と同様であり、詳細な説明は省略する。
【００４２】
モード“３”では、全ての検品表示器２１，２５，２９が使用されるので、検品順に、図８（ｄ）に示すように、表示順“１”，“２”，“３”の集品容器１０から、検品表示部２２，２６，３０に「ラベル番号−総数」が表示され、完了押釦スイッチ２３，２７，３１のランプが点灯される。
検品表示器２１，２５，２９によりそれぞれ検品を行う作業者Ｈは、検品表示部２２，２６，３０に表示されるラベル番号１３と、連続して搬送されている３個の集品容器１０に貼り付けられたラベル１２に表示されたラベル番号１３が一致することを確認し、集品容器１０内の物品１１の検品を行う。
作業者Ｈは、検品結果が「正常」と判定すると、完了押釦スイッチ２３，２７，３１を操作する。これにより、表示順“１”，“２”，“３”の集品容器１０の検品は正常なものと判断されて記憶され、次の表示順“４”，“５”，“６”の集品容器１０の表示が実行される。
また作業者Ｈは、検品結果が「異常」と判定すると、検品端末３３の表示装置に表示される検品表示器２１，２５，２９の「異常」押釦の画像部の領域をタッチし、集品容器１０をかご車３６へ移載する。検品端末３３のタッチ入力により、集品容器１０の検品は不良なものと判断されて記憶され、調整端末３５に、「ラベル番号−複数の（物品の品目−数量）」からなるデータが表示され、また次の表示順“４”，“５”，“６”の集品容器１０の表示が実行される。
作業者Ｈは、次の表示順“４”，“５”，“６”の表示に基づく、検品を実行する。このような動作を繰り返すことにより、モード“３”における検品作業が実行される。
【００４３】
このように、検品コントローラ４２により、検品エリアＣに搬入（搬送）される集品容器１０に対応して、ユーザーに割り付けられた、すなわち集品容器１０に割り付けられるラベル番号１３および集品容器１０に割り付けられた、ユーザーからの物品１１の注文データに応じて集品される物品１１の総数が、第１検品表示器２１の検品表示部２２，第２検品表示器２５の検品表示部２６，第３検品表示器２９の検品表示部３０にそれぞれ、表示され、また検品表示器２１，２５，２９の使用可能・使用不能が規定されて、検品が実行される。
【００４４】
以上のように本実施の形態によれば、各検品表示器２１，２５，２９の使用の可否が制御されることにより、検品エリアＣにおける検品可能な集品容器１０の数を自在に変更することができ、所定時間内で検品を行うことが求められる集品容器１０の数、あるいは検品作業に従事できる作業者Ｈの人数の増減に応じて柔軟な運用を行うことができる。また従来のような容器用タグ、タグリーダ／ライタを使用することなく検品作業を実行でき、設備のコストを低減することができる。
【００４５】
また本実施の形態によれば、集品容器１０に割り付けられたラベル番号１３および集品される物品１１の総数が、検品エリアＣに搬送（搬入）される集品容器１０順に検品コントローラ４２に記憶され、記憶された順で、使用可能な検品表示器に表示されることにより、作業者Ｈは、誤りなく検品対象の集品容器１０を特定することができ、検品作業を効率よく行うことができる。
【００４６】
また本実施の形態によれば、各検品表示器２１，２５，２９は、各検品表示器２１，２５，２９に設けられる切替え釦スイッチ２４，２８，３２の操作入力により、各検品表示器２１，２５，２９の各集品容器１０に対応する使用の可否が切替え可能なことにより、忙しさに応じて、検品表示器の使用の可否の切替えを作業者Ｈが簡単に行うことができ、検品作業に柔軟に対応することができ、さらに各検品表示器２１，２５，２９の完了押釦スイッチ２３，２７，３１が操作入力されると、検品表示部２２，２６，３０の表示が消去され、完了押釦スイッチ２３，２７，３１のランプが消灯されることにより、検品作業の表示が明確となり、検品作業を効率よく行うことができる。
【００４７】
また本実施の形態によれば、検品エリアＣにおいて、各集品容器１０は、ローラコンベヤ１７により連続搬送されることにより、集品容器１０の搬送を停止することなく検品作業を行うことができ、さらに停止・再開釦スイッチ３４を操作入力することにより、各集品容器１０を連続搬送するローラコンベヤ１７の停止と駆動（再開）を行うことができ、検品が未完了の集品容器１０が検品エリアＣの下流へ搬送されることを防止できる。
【００４８】
また本実施の形態によれば、ラベル番号１３が表示されたラベル１２を貼り付けられた集品容器１０に集品された物品１１の数量が、対応する第１検品表示器２１、または第２検品表示器２５、または第３検品表示器２９に表示されるラベル番号１３の総数と異なることが、検品端末３３のタッチパネルにより操作入力されることにより、検品異常の情報を検品対象の集品容器１０に割り付けられたラベル番号１３とともに検品コントローラ４２に記憶できるとともに、対応する検品表示器２１，２５，２９の検品表示部２２，２６，３０の表示を消去でき、続けて、次に搬送（搬入）される集品容器１０のラベル番号１３および集品される物品１１の総数（数量）を表示することができる。このように、各検品表示器２１，２５，２９に過不足の検品不良の情報を入力するスイッチ等の入力手段を設けることなく、検品不良に対応でき、検品表示器２１，２５，２９の構成を簡易なものにできる。
【００４９】
なお、本実施の形態では、検品エリアＣにおいて、集品容器１０を搬送する搬送手段としてローラコンベヤ１７を用いているが、ローラコンベヤ１７に限らず、ベルトコンベヤ等、他の形式のコンベヤを用いてもよい。
また本実施の形態では、第２検品表示器２５または第３検品表示器２９はそれぞれ、切替え釦スイッチ２８または切替え釦スイッチ３２の操作入力によりそれぞれの使用の可否を切替え可能な構成としているが、第２検品表示器２５または第３検品表示器２９の使用の可否の切替えは、外部から、例えばキーボード等を使用して切替え信号を入力することにより行うようにしてもよい。
【００５０】
また本実施の形態では、検品エリアＣにおいて、３つの検品表示器２１，２５，２９を設ける構成としているが、これに代えて、図９に示すように、検品表示部７２，７５，７８（表示手段）と、完了押釦スイッチ７３，７６，７９（完了入力手段の一例）と、切替え釦スイッチ７４，７７，８０（切替入力手段の一例）をそれぞれ３つずつ備えた検品表示器７１（検品表示手段の一例）を設ける構成としてもよい。上記構成によれば、検品表示器７１の設置は１台で済み、３つの検品表示器２１，２５，２９を設けた場合と比較して設備のコストを低減することが可能となる。また検品表示器７１を、検品表示部に相当する画像（表示手段）と、完了押釦スイッチに相当する画像（完了入力手段の一例）と、切替え釦スイッチに相当する画像（切替入力手段の一例）をそれぞれ３つずつ表示する液晶画面とタッチパネルにより構成することも可能である。なお、検品端末３３の表示装置に表示される画面は、同じ構成でよい。
また本実施の形態では、検品端末３３は、コンピュータと、コンピュータに接続されたタッチパネル付きの表示装置から構成し、タッチパネルの操作入力に応じて過不足の検品不良の情報を出力するようにしているが、タッチパネルに代えてキーボードを備え、キーボードの操作入力により過不足情報を出力する構成としてもよい。
【００５１】
また本実施の形態では、検品結果が「異常」と判定された場合は、検品端末３３のタッチパネルの操作入力に応じて、調整エリアＤの調整端末３５の表示装置の画面に過不足情報を出力する構成としているが、検品エリアＣにおいて、検品端末３３のコンピュータに接続されたラベルプリンタを備え、検品結果として、「異常」が入力された場合は、「異常」と判定された集品容器１０に対応する「ラベル番号−複数の（物品の品目−数量）」からなるデータが表示された過不足ラベルをラベルプリンタにより発行し、「異常」と判定された集品容器１０に貼り付けるようにしてもよい。これにより、調整する物品１１の品目を容易に判断でき、検品作業の確実性を増すことができる。
また本実施の形態では、調整エリアＤの作業者Ｈは、調整端末３５の表示装置に表示される「ラベル番号」を確認することにより、集品容器１０に対する物品１１の調整作業を行う構成としているが、調整エリアＤにブザー等の報知手段を設け、検品結果として、「異常」が入力されると、前記報知手段により、調整エリアＤの作業者Ｈに調整作業が必要なことを報知する構成としてもよい。
【００５２】
また本実施の形態では、バーコードリーダ１６により集品容器１０に貼り付けられたラベル１２に表示されたバーコード１４を検品エリアＣに搬送（搬入）される順に読み取り、その順を各検品表示器２１，２５，２９への表示順としているが、ピッキングエリアＢの上流におけるオートラベラー１５によるラベル１２の貼り付け順と、検品エリアＣに搬送される順が同じとなる場合は、オートラベラー１５によるラベルの貼り付け順をそのまま表示順としてもよい。これにより、バーコードリーダ１６を省く分、設備をより安価に構成することができる。
また本実施の形態では、第１検品表示器２１の検品表示部２２，第２検品表示器２５の検品表示部２６，第３検品表示器２９の検品表示部３０には、ラベル番号１３と物品１１の総数を表示する構成としているが、総数に限ることはなく、特定の１品目の物品１１の数量を表示する構成とすることもできる。このとき、特定の１品目の物品１１のみの検品が実行される。
【００５３】
また本実施の形態では、仕分け先をユーザー別としているが、ユーザー別に限ることはなく、例えば地域別、店舗別、店舗内に設けられたエリア別、搬送トラック別、商品等のカテゴリー別としてもよい。
また本実施の形態では、集品容器１０に割り付けられた仕分け先を特定する符号として、数字の番号を使用しているが、順序が認識できる符号であればよく、アルファベット、５０音等の文字や絵文字、画像等を使用してもよい。
【００５４】
また本実施の形態では、各種入力手段として、釦スイッチを用いているが、紐を引っ張ることにより操作入力する引っ張り式のスイッチや、足の動作により操作入力するフットスイッチ等を用いてもよい。
また本実施の形態では、集品容器１０としてコンテナを例示したが、物品１１を一時収納することができればどのようなものでもよく、集品容器１０として段ボール、パレット等を用いてもよい。
【００５５】
また本実施の形態では、検品エリアＣには３つの検品表示器２１〜２３を設ける構成としているが、検品表示器の数は３つに限らず、２つ、あるいは４つ以上設ける構成とすることもできる。
また本実施の形態では、各検品表示器２１〜２３にはそれぞれ、１人の作業者Ｈを対応させる構成としているが、１つの検品表示器に複数の作業者Ｈを対応させる構成や、複数の検品表示器に１人の作業者Ｈを対応させる構成でもよい。
また本実施の形態では、ピッキングエリアＢを、搬送ライン１８により搬送される集品容器１０に対して、物品１１の集品を行う構成としているが、ピッキングエリアＢを、集品容器１０を手押しのピッキングカートに積載し、作業者Ｈによりピッキングカートを移動させながら、集品容器１０に対する物品１１の集品を行う構成とすることもできる。
【符号の説明】
【００５６】
１０    集品容器
１１    物品
１２    ラベル
１３    ラベル番号
１４    バーコード
１５    オートラベラー
１６    バーコードリーダ
１７    ローラコンベヤ
２１，２５，２９，７１    検品表示器
２２，２６，３０，７２，７５，７８    検品表示部
２３，２７，３１，７３，７６，７９    完了押釦スイッチ
２４，２８，３２，７４，７７，８０  切替え釦スイッチ
３３  検品端末
３４  停止・再開釦スイッチ
４１  統括コントローラ
４２  検品コントローラ
【図１】
0005434737.tif 000002
【図２】
0005434737.tif 000003
【図３】
0005434737.tif 000004
【図４】
0005434737.tif 000005
【図５】
0005434737.tif 000006
【図６】
0005434737.tif 000007
【図７】
0005434737.tif 000008
【図８】
0005434737.tif 000009
【図９】
0005434737.tif 000010